(57)【特許請求の範囲】
【請求項１】
下台座（２）と該下台座に回転自在に支持される上蓋（３）と該下台座に上下揺動自在に設けられる作動板（４）からなり、
前記上蓋（３）は軸（３１）を通じて下台座の後部両側にある軸受（２２）により回転自在に支持され、上蓋前端（３２）が持ち上げられ、上蓋の重心の鉛直線を越えた時に、上蓋後端（３３）が下台座の後縁に当たっていることにより、上蓋の回転が止まり、落下準備位置に保持されることを特徴とする小動物捕獲器。
【請求項２】
下台座（２）と該下台座に回転自在に支持される上蓋（３）と該下台座に上下揺動自在に設けられる作動板（４）からなり、
前記作動板（４）前端部（４２）に餌受け皿または餌付けピン（４４）を設け、作動板は軸（４１）を通じて、下台座に設置されているブロック（２３）により上下揺動自在に支持され、小動物が作動板の前端部を踏んだまたは押した場合には、作動板が軸（４１）を支点に前端部が下がり、後端部（４３）が上がり、上蓋後端（３３）を後上方へ押し上げることにより、上蓋前端を前方へ回転させ、上蓋の重心の鉛直線を越えた時、上蓋の自重で下台座に落下することを特徴とする小動物捕獲器。
【請求項３】
前記上蓋前端（３２）が落下準備位置へ持ち上げられる際に、上蓋後端（３３）が作動板の後端部（４３）を押し下げ、係合することにより、作動板が作動可能状態にセットされることを特徴とする請求項１又は２記載の小動物捕獲器。
【請求項４】
前記上蓋前端及び下台座前端にロック装置（３５、２４）を設け、上蓋が落下して、下台座に接触するとき、その落下重力で上蓋が自動的に下台座にロックされることを特徴とする請求項１又は２記載の小動物捕獲器。
【請求項５】
下台座（２）と該下台座に回転自在に支持される上蓋（３）と該下台座に上下揺動自在に設けられる作動板（４）からなり、
前記上蓋の内側に粘着シート（５）が設けられ、上蓋が落下した際に、捕獲器内にいる小動物を粘着できることを特徴とする小動物捕獲器。
【発明の詳細な説明】
【０００１】
【発明の属する技術分野】
本発明は、クマネズミ、ドブネズミ、ハツカネズミ、野ネズミ等のネズミ類およびリス、モグラ等を捕獲する小動物捕獲器に関する。
【０００２】
【従来の技術】
長年にわたって用いられるネズミ等小動物の捕獲に関する器具は、２種類に大きく分けられる。１つはバネ仕掛けのわなに餌を使ってネズミをおびき寄せ、ネズミが餌を取る際にバネ機構の止め具がはずされ、金属の枠がはね返し、ネズミを挟み打ついわゆるパチンコ式ネズミ取り器、又はバネ機構の止め具がはずされることにより、扉を落下させ、ネズミを金網製のかごに閉じ込むいわゆるかご式ネズミ取り器である。もう１つは板や紙に粘着剤を塗布し、ネズミがよく出現する場所に設置し、ネズミがその上を通ると、粘着剤に粘着され、身動きが取れないいわゆるネズミ粘着トラップである。
【０００３】
【発明が解決しようとする課題】
上記従来のネズミ等小動物捕獲器具は、捕獲に確実性が低いうえに安全に対する配慮が不十分であるという問題があった。特にバネ仕掛けの捕獲器具はバネの弾力と反発力が強くて、装置のセットが厄介なことである。時にセットの途中で止め具がはずされ、バネが急速にはね返すことにより、装置を取扱う人が間違って枠の上や扉の所に手を置いていたりすると、手が挟まれ、けがをすることがある。また、子供やペットは誤って捕獲器具を触ったりすると、バネにはね返され、けがをする場合さえある。一方、よく利用されるかご式ネズミ取り器は周辺すべてが金網で囲まれるため、警戒心の強いネズミに敬遠される。
【０００４】
ネズミ粘着トラップ類は水や油に濡れると、粘着力が顕著に低下するため、足が濡れているネズミを捕獲できない。また、ネズミが粘着トラップの上を通らないと捕獲できないので、広範囲に敷く必要があり、捕獲効率が低い。また、子供やペットが粘着トラップに触れない場所しか設置することができず、設置場所が制限される。
【０００５】
そこで、本発明はバネを使用することがなく、取扱いが簡単で、安全かつ使い捨て可能な安価な小動物捕獲器を提供することを目的とする。
【０００６】
【課題を解決するための手段】
上記目的を達成するために、発明者は下台座と該下台座に回転自在に支持される上蓋と該下台座に上下揺動自在に設けられる作動板からなる小動物捕獲器を考案した。上蓋は軸を通じて下台座に回転自在に支持される。上蓋前端が持ち上げられ、上蓋の重心の鉛直線を越えた時に、上蓋後端が下台座の後縁に当たっていることにより、上蓋の回転が止まり、そのまま落下準備位置に保持される。上蓋前端が落下準備位置へ持ち上げられる際に、上蓋後端が作動板後端部を押し下げ、係合することにより、作動板が自動的に作動可能状態にセットされる。したがって、捕獲器のセットが簡単にできる。
【０００７】
作動板前端部に餌受け皿または餌付けピンを設け、作動板は軸を通じて、下台座に設置されているブロックにより上下揺動自在に支持され、小動物が作動板の前端部を踏んだまたは押した場合には、作動板が軸を支点に前端部が下がり、後端部が上がって、上蓋後端を後上方へ押し上げることにより、上蓋前端を前方へ回転させ、上蓋の重心の鉛直線を越えた時、上蓋の自重により下台座に落下する。
【０００８】
上蓋前端及び下台座前端にロック装置を設け、上蓋が落下して、下台座に接触する時に、その落下重力で上蓋が自動的に下台座にロックされる。
上蓋の内側に粘着シートが設けられ、上蓋が落下した際に、捕獲器内にいる小動物を粘着できる。
【０００９】
また、捕獲器はバネを使用しないため、作動する際に上蓋がその自重のみによって落下するので、衝撃力が弱くて、誤って作動させても、けがをすることがなく、安全性が高い。
【００１０】
【発明の実施の形態】
本発明の小動物捕獲器は、下台座と、下台座に軸を通じて回転自在に支持される上蓋と、その上蓋を作動させる作動板とからなる。この構成では、上蓋は下台座との軸部を支点に自在に回転でき、上蓋前端が上方へ回転する時に、上蓋後端が下方へ回転する。上蓋前端が上蓋の重心の鉛直線を越えると、上蓋後端が下台座の後縁に当たって、上蓋の回転が止まる。この状態では、上蓋の後方への回転力は下台座の押し返す反力に打ち消され、上蓋が落下準備位置に保持される。また、上蓋前端が上方へ回転する時、上蓋後端が下方へ回転し、作動板後端部を押し下げ、上蓋後端と係合し、作動可能な状態になる。
【００１１】
上蓋が落下準備位置に保持されている状態では、上蓋が軸を通じて下台座に支持されているため、作動板に荷重を全く加えない。したがって、作動板には摩擦抵抗が生じないので、ネズミ等小動物が作動板前端部を触れると、作動板が直ちに作動し、下台座との軸部を支点に前端部が下がって、後端部が上がり、上蓋後端を後上方へ押し上げることにより、上蓋前端を前方へ回転させる。上蓋前端が上蓋の重心の鉛直線を越えると、その自重によって下台座に向けて急速に落下し、ネズミ等小動物を上蓋と下台座の間に閉じ込む。
【００１２】
上蓋が落下すると、その落下重力によって、上蓋前端に設けられているロック装置の凸部が下台座前端に設けられているロック装置の凹部に挿入され、自動的にロックされることにより、捕獲器内に閉じ込まれたネズミ等小動物は逃亡することができない。
【００１３】
本発明の小動物捕獲器は装置のセットが非常に簡単にできる。上蓋前端が落下準備位置まで持ち上げられれば、上蓋後端が下台座後縁に当たることにより、上蓋の回転が止まるが、上蓋の回転力は下台座の押し返す反力に打ち消され、上蓋が落下準備位置に保持される。また、捕獲器はバネを使用しないため、作動する際に、上蓋がその自重のみによって落下するので、落下途中で手や物にぶつけても与える衝撃力が弱くて、けがや破損させる可能性がほとんどない。
【００１４】
また、ネズミの捕獲をより一層確実にするために、上蓋前端の内側に粘着剤を塗布しているシートを設け、上蓋が落下した際に、粘着剤がネズミの背中にくっ付けることにより、捕獲したネズミの逃亡を防ぐ。
【００１５】
本発明の小動物捕獲器は主にプラスチック材料で構成するが、ステンレス、鉄、銅、アルミニウム等金属材料や木材も使用できる。
【００１６】
【実施例】
以下、本発明の具体的な実施形態の一例を図面に従って説明する。本発明のネズミ捕獲器は下記の実施例に制限されるものではない。
図１は本発明のネズミ捕獲器の斜視図である。下台座２は、その底部全体に広がる床部２１を有すると共に、上蓋３の後端両側から内側に突出する軸３１を支持する軸受２２が下台座後端の両側に設けられる。一方、下台座の床部２１には作動板４の両側から突出する軸４１を支持する軸受となるブロック２３が設けられる。下台座前端に口唇状の凹部２４が設けられる。
【００１７】
上蓋３はその後端３３にある軸３１を通じて、下台座の軸受２２に回転自在に支持される。上蓋前端３２には舌状の凸部３５が設けられ、落下した際に丁度下台座前端にある口唇状の凹部２４に挿し込まれ、内部から開けられないようにロックされる。上蓋後端中央に斜面を有する凹状の切り込み３４が形成され、上蓋前端３２が持ち上げられる時に、軸３１を支点に、上蓋後端３３が下方へ回転し、作動板後端部４３を押し下げ、切り込み３４と係合する状態になる。
【００１８】
作動板４はその中央よりやや後ろの両側に突出する軸４１があり、下台座の床部２１に設けられるブロック２３により上下揺動自在に支持される。作動板前端部４２にネズミ等小動物をおびき寄せるための餌を入れる餌受け皿４５が設けられる。作動板後端部４３には斜面を有する突起４４が設けられ、上蓋３が落下準備位置に保持される時に、突起４４が上蓋後端に形成される切り込み３４と係合する。
【００１９】
上蓋前端３２が持ち上げられると、上蓋後端３３が軸３１を支点に下方へ回転し、作動板後端部４３にある突起４４を押し下げ、切り込み３４と係合する。上蓋前端３２が上蓋の重心の鉛直線を越えると、上蓋後端３３が下台座の後縁に当たって、上蓋の回転が阻止される。上蓋の後方への回転力は下台座の押し返す反に打ち消され、上蓋３が落下準備位置に止まり、そのまま保持される。この状態では、上蓋の重量は軸３１を通じて、下台座２に支持され、作動板４には荷重を掛けていない。
【００２０】
餌におびき寄せられたネズミ等小動物が下台座２に侵入し、作動板前端部４２を踏んだ途端、小動物の体重により、作動板前端部４２が押し下げられ、軸４１を支点に作動板後端部４３が上がる。その力が突起部４４を通じて、スムーズに上蓋後端３３に伝わり、上蓋後端を後上方へ押し上げる。その結果、上蓋前端３２が軸３１を支点に前方へ回転する。上蓋前端が上蓋の重心の鉛直線を越えると、その自重で急速に下台座に落下し、ネズミを上蓋と下台座の間に閉じ込む。さらに、落下した上蓋はその前端にある舌状の凸部３５が下台座前端にある口唇状の凹部２４に挿し込め、ロックされる。
【００２１】
上蓋が落下した際に、上蓋前端３２の内側に予め設置された粘着シート５がネズミの背中に接触し、ネズミを粘着することにより、ネズミの捕獲を一層確実にする。勿論、粘着シートを使用しなくても、捕獲器が自動にロックされるため、中に閉じ込まれたネズミは逃亡することができない。
【００２２】
ネズミが捕獲された後、捕獲器を水中に沈めて、ネズミを溺死させてから、ロック装置を開放させ、死んだネズミをビニール袋等に入れ、ゴミとして簡単に処分することができる。
【００２３】
【発明の効果】
以上説明した構成により、本発明の小動物捕獲器は以下の効果を奏する。
上蓋前端を持ち上げるだけで、上蓋後端が作動板の後端部を押し下げ、係合すると共に、上蓋前端が重心の垂直線を越えると、上蓋後端が下台座の後縁に当たって、上蓋の回転が阻止されることにより、そのまま落下準備位置に保持される。したがって、捕獲器のセットが簡単で、かつ取り扱う人をけがさせる心配がない。
【００２４】
落下準備位置に保持されている上蓋はその重量が軸部を通じて下台座に支持されているため、作動板に荷重を加えていないので、作動板の反応が速く、装置の感度が高い。
【００２５】
バネを使用しないため、上蓋の落下は自重によるもので、子供やペットのいたずらや不注意により捕獲器が作動しても、衝撃が弱くて、けがさせる可能性がほとんどないため、安全性が高い。
構造が簡単で、部品点数が少なく、製造コストが安いため、使い捨てにもできる。
【図面の簡単な説明】
【図１】  本発明の実施例のネズミ捕獲器の斜視図である。
【図２】  図１のネズミ捕獲器を縦方向に二分割したその一方の側面図である。
【図３】  図１のネズミ捕獲器の後部から見た斜視図である。
【図４】  上蓋が落下状態途中にある図１のネズミ捕獲器の側面図である。
【符号の説明】
２  下台座
３  上蓋
４  作動板
５  粘着シート
２１  下台座の床部
２２  軸受
２３  ブロック
２４  下台座前端にあるロック装置の凹部
３１  上蓋の軸
３２  上蓋前端
３３  上蓋後端
３４  上蓋後端にある切り込み
３５  上蓋前端にあるロック装置の凸部
４１  作動板の軸
４２  作動板前端部
４３  作動板後端部
４４  作動板後端部にある傾斜状突起
４５  餌受け皿
【図１】
0003635428.tif 000002
【図２】
0003635428.tif 000003
【図３】
0003635428.tif 000004
【図４】
0003635428.tif 000005